(57)【要約】【課題】複数映像を一覧表示した状態で、少なくとも一つの映像を最新の映像に更新することが可能な映像受信装置を提供すること。【解決手段】本実施形態の一例に係る映像受信装置は、外部サーバとの通信により、第１のアドレスに基づき第１のコンテンツを受信し、また第２のアドレスに基づき第２のコンテンツを受信する通信手段と、前記第１のコンテンツ及び前記第２のコンテンツを記憶する記憶手段と、前記第１のコンテンツに対応した第１の映像と前記第２のコンテンツに対応した第２の映像との一覧表示を制御する制御手段と、前記第１のアドレスに基づき前記第１のコンテンツを再取得し、前記一覧表示上の前記第１の映像を、前記再取得された第１のコンテンツに対応した第１の再取得映像へ更新する更新手段と、を備える。【選択図】図３
2011066537.tif 000002
【特許請求の範囲】
【請求項１】
外部サーバとの通信により、第１のアドレスに基づき第１のコンテンツを受信し、また第２のアドレスに基づき第２のコンテンツを受信する通信手段と、
前記第１のコンテンツ及び前記第２のコンテンツを記憶する記憶手段と、
前記第１のコンテンツに対応した第１の映像と前記第２のコンテンツに対応した第２の映像との一覧表示を制御する制御手段と、
前記第１のアドレスに基づき前記第１のコンテンツを再取得し、前記一覧表示上の前記第１の映像を、前記再取得された前記第１のコンテンツに対応した第１の再取得映像へ更新する更新手段と、
を備えた映像受信装置。
【請求項２】
前記一覧表示上の一つの映像を選択する選択手段を備え、
前記更新手段は、前記選択手段により選択された前記第１の映像に対応した前記第１のアドレスに基づき前記第１のコンテンツを再取得し、前記一覧表示上の前記第１の映像を、前記再取得された前記第１のコンテンツに対応した前記第１の再取得映像へ更新する、
ことを特徴とする請求項１に記載の映像受信装置。
【請求項３】
前記更新手段は、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新することを特徴とする請求項１に記載の映像受信装置。
【請求項４】
全映像更新を指定する指定手段と、
前記一覧表示から一つの映像を選択する選択手段と、
を備え、
前記更新手段は、
前記選択手段により選択された前記第１の映像に対応した前記第１のアドレスに基づき前記第１のコンテンツを再取得し、前記一覧表示上の前記第１の映像を、前記再取得された前記第１のコンテンツに対応した前記第１の再取得映像へ更新し、
また、前記全映像更新の指定に対応して、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新する、
ことを特徴とする請求項１に記載の映像受信装置。
【請求項５】
前記制御手段は、前記第１のコンテンツに対応した第１の映像を表示する第１の表示形式、前記第２のコンテンツに対応した第２の映像を表示する第２の表示形式、又は前記第１映像と前記第２の映像とを一覧表示する第３の表示形式による表示を制御し、
前記更新手段は、前記第３の表示形式による前記一覧表示に対応して、前記第１のアドレスに基づき前記第１のコンテンツを再取得し、前記一覧表示上の前記第１の映像を、前記再取得された前記第１のコンテンツに対応した第１の再取得映像へ更新する、
ことを特徴とする請求項１に記載の映像受信装置。
【請求項６】
前記更新手段は、前記第３の表示形式による前記一覧表示に対応して、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新することを特徴とする請求項５に記載の映像受信装置。
【請求項７】
前記第１のアドレス及び前記第２のアドレスを登録する登録手段を備え、
前記通信手段は、前記登録手段により登録された前記第１のアドレスに基づき前記第１のコンテンツを受信し、前記登録手段により登録された前記第２のアドレスに基づき前記第２のコンテンツを受信し、
前記制御手段は、前記第１のコンテンツに対応した前記第１の映像と前記第２のコンテンツに対応した前記第２の映像との一覧表示を制御する、
ことを特徴とする請求項１に記載の映像受信装置。
【請求項８】
受信した放送信号から、指定チャンネルの信号を選局する選局手段を備え、
前記制御手段は、前記選局信号に基づく映像表示及び前記一覧表示を制御する、
ことを特徴とする請求項１に記載の映像受信装置。
【請求項９】
外部サーバとの通信により、第１のアドレスに基づき第１のコンテンツを受信し、また第２のアドレスに基づき第２のコンテンツを受信し、
前記第１のコンテンツ及び前記第２のコンテンツを記憶し、
前記第１のコンテンツに対応した第１の映像と前記第２のコンテンツに対応した第２の映像との一覧表示を制御し、
前記第１のアドレスに基づき前記第１のコンテンツを再取得し、前記一覧表示上の前記第１の映像を、前記再取得された第１のコンテンツに対応した第１の再取得映像へ更新する、
映像受信方法。
【発明の詳細な説明】
【技術分野】
【０００１】
本発明は、外部ネットワークに接続しコンテンツ（映像）を受信する映像受信装置及び映像受信方法に関する。
【背景技術】
【０００２】
近年、デジタルテレビ放送を受信可能な放送受信装置が広く普及している。例えば、放送受信装置は、デジタルテレビ放送だけでなく、外部ネットワークに接続しコンテンツを受信することもできる。さらに、放送受信装置は、第１のコンテンツを受信しこの第１のコンテンツに対応した第１のｗｅｂページ（映像）を記憶し、また、第２のコンテンツを受信しこの第２のコンテンツに対応した第２のｗｅｂページ（映像）を記憶し、切換操作に対応して第１のｗｅｂページを表示したり、第２のｗｅｂページを表示したりすることもできる。
【０００３】
また、電子番組表を表示画面に表示するとともに、電子番組表に表示される番組に関連するＵＲＬ情報を用いてＷｅｂページを表示する技術が開示されている（特許文献１参照）。
【０００４】
Ｗｅｂページは、時間経過とともに更新されることがある。ユーザが定期的に更新操作をして、表示されたＷｅｂページを更新するというのでは不便である。そこで、表示されたＷｅｂページを自動更新する技術も知られている。
【先行技術文献】
【特許文献】
【０００５】
【特許文献１】特開２００８−５４０６５号公報
【発明の概要】
【発明が解決しようとする課題】
【０００６】
上記したように、切換操作に対応して、複数のＷｅｂページを切換表示する技術が知られているが、切換操作無しで、複数のＷｅｂページを一覧で見たいという要望が挙げられている。この要望に対応して、複数のＷｅｂページを一覧表示した場合、一覧表示の中の各Ｗｅｂページは最新のＷｅｂページとは限らない。
【０００７】
そこで、Ｗｅｂページの一覧表示の状態から、Ｗｅｂページの単独表示の状態へ移行した後で、表示されているＷｅｂページを更新することが考えられる。しかしながら、このような複数ステップによる更新は非効率である。
【０００８】
本発明の目的は、複数映像を一覧表示した状態で、少なくとも一つの映像を最新の映像に更新することが可能な映像受信装置及び映像受信方法を提供することにある。
【課題を解決するための手段】
【０００９】
本発明の一実施形態に係る映像受信装置は、外部サーバとの通信により、第１のアドレスに基づき第１のコンテンツを受信し、また第２のアドレスに基づき第２のコンテンツを受信する通信手段と、前記第１のコンテンツ及び前記第２のコンテンツを記憶する記憶手段と、前記第１のコンテンツに対応した第１の映像と前記第２のコンテンツに対応した第２の映像との一覧表示を制御する制御手段と、前記第１のアドレスに基づき前記第１のコンテンツを再取得し、前記一覧表示上の前記第１の映像を、前記再取得された前記第１のコンテンツに対応した第１の再取得映像へ更新する更新手段と、を備える。
【００１０】
本発明の一実施形態に係る映像受信方法は、外部サーバとの通信により、第１のアドレスに基づき第１のコンテンツを受信し、また第２のアドレスに基づき第２のコンテンツを受信し、前記第１のコンテンツ及び前記第２のコンテンツを記憶し、前記第１のコンテンツに対応した第１の映像と前記第２のコンテンツに対応した第２の映像との一覧表示を制御し、前記第１のアドレスに基づき前記第１のコンテンツを再取得し、前記一覧表示上の前記第１の映像を、前記再取得された前記第１のコンテンツに対応した第１の再取得映像へ更新する。
【発明の効果】
【００１１】
本発明によれば、複数映像を一覧表示した状態で、少なくとも一つの映像を最新の映像に更新することが可能な映像受信装置及び映像受信方法を提供できる。
【図面の簡単な説明】
【００１２】
【図１】本発明の一実施形態に係るデジタルテレビジョン放送受信装置（映像受信装置）の概略構成を示す図である。
【図２】複数のコンテンツに対応した複数の映像を個々に表示した表示画面、及び複数の映像を一覧表示した表示画面の一例を示す図である。
【図３】複数のコンテンツに対応した複数の映像を一覧表示した表示画面の一例を示す図である。
【図４】選択映像の更新処理の一例を示すフローチャートである。
【発明を実施するための形態】
【００１３】
以下、図面を参照し、本発明の実施形態について説明する。
【００１４】
図１は、本発明の一実施形態に係るデジタルテレビジョン放送受信装置（映像受信装置）の概略構成を示す図である。図１に示すように、デジタルテレビジョン放送受信装置１は、アンテナ１０１、入力端子１０２、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ端子１２８、ＨＤＭＩインターフェース１２９、映像表示部１４１、及びスピーカ１４２を備えている。
【００１５】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した地上デジタルテレビジョン放送の番組表を受信し、表示することができる。また、ＢＳ／ＣＳデジタルテレビジョン放送用のチューナーにより、ＢＳ／ＣＳデジタルテレビジョン放送に対応した番組表の表示を受信し、表示することもできる。
【００１６】
また、本実施形態では、図１に示すように、デジタルテレビジョン放送受信装置１が、映像表示部１４１及びスピーカ１４２を備えるケースについて説明する。つまり、本発明の番組情報の表示制御装置が、映像表示部１４１及びスピーカ１４２を備えるケースについて説明する。しかしながら、本発明の番組情報の表示制御装置は、このような構成に限定されるものではない。例えば、本発明の番組情報の映像制御装置は、映像表示部１４１及びスピーカ１４２を構成に含まない構成であってもよい。言い換えると、本発明の番組情報の映像制御装置は、ＨＤＭＩ等の接続手段を介して映像表示部１４１及びスピーカ１４２と接続する構成であってもよい。
【００１７】
以下、デジタルテレビジョン放送受信装置１の詳細について説明する。
【００１８】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１９】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００２０】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１の外部から入力可能とするものである。
【００２１】
そして、この信号処理モジュール１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理モジュール１１２及び音声処理モジュール１１４に出力している。
【００２２】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２３】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２４】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２５】
ここで、このデジタルテレビジョン放送受信装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２６】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２７】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２８】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００２９】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００３０】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３１】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３２】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３３】
さらに、上記コントローラ１１０は、チューナー部１０３により選局されデスクランブルされた放送信号を、ＬＡＮ端子１２２又はＵＳＢ端子１２４を介して接続されたＨＤＤ等へ録画するための録画動作を制御することもできる。なお、上記したように、チューナー部１０３は、複数のチューナーを備えているので、同時に、複数チャンネルの番組を録画したり、複数チャンネルの番組を表示したりすることができる。例えば、デジタルテレビジョン放送受信装置１は、ハイビジョンレベルの画質で複数チャンネルの１週間分の全番組を録画することが可能となる。このような録画をマルチ同時録画と称する。なお、デジタルテレビジョン放送受信装置１は、上記したマルチ同時録画を実現するために、複数チャンネルに対応した複数チューナを備えており、更に、スクランブル放送に対応するために、複数チューナに対応した複数のデスクランブル用のカードを挿入するための複数のカードスロットも備えている。
【００３４】
次に、コンテンツの受信、及び受信コンテンツに対応した映像（Ｗｅｂページ）の表示制御について説明する。コンテンツは、アドレス（ＵＲＬ情報）により特定される位置に格納されたｈｔｍｌファイル、ＧＩＦファイル、及びＪＰＥＧファイル等である。コンテンツに対応した映像は、コンテンツを構成する少なくとも一部のデータから生成される映像である。例えば、コンテンツが、ｈｔｍｌファイルであれば、コンテンツに対応した映像は、ｈｔｍｌファイルの解析に基づき生成される文字又は制御記号などを含む映像（最終的な画面表示）である。また、コンテンツが、ＧＩＦファイル又はＪＰＥＧファイルであれば、コンテンツに対応した映像は、ＧＩＦファイル又はＪＰＥＧファイルのデコードに対応して生成される映像である。デジタルテレビジョン放送受信装置１は、ＬＡＮ端子１２２及び通信インターフェース１２３を介して、外部サーバと通信することができる。つまり、デジタルテレビジョン放送受信装置１は、アドレス（ＵＲＬ情報）を指定し、コンテンツを受信することができる。不揮発性メモリ１１０３は、指定したアドレス及び受信したコンテンツを記憶する。さらに、デジタルテレビジョン放送受信装置１は、複数のアドレスを順に指定し、複数のコンテンツを順に受信することができる。不揮発性メモリ１１０３は、指定した複数のアドレス、及び受信した複数のコンテンツを記憶する。
【００３５】
さらに、コントローラ１１０はブラウザ機能を備え、コントローラ１１０、ＯＳＤ信号生成モジュール１１１、グラフィック処理モジュール１１２、及び映像処理モジュール１１３は、複数のコンテンツに対応した複数の映像（複数のＷｅｂページ）の表示を制御することができる。この表示制御に対応して、映像表示部１４１は、複数のコンテンツに対応した複数の映像を表示する。
【００３６】
図２は、複数のコンテンツに対応した複数の映像を個々に表示した表示画面、及び複数の映像を一覧表示した表示画面の一例を示す図である。
【００３７】
例えば、リモートコントローラ１１６等のカラーキー操作（例えば青色キー操作）及びカーソル操作に応じて、画面上のタブＴ１が選択されると、コントローラ１１０、ＯＳＤ信号生成モジュール１１１、グラフィック処理モジュール１１２、及び映像処理モジュール１１３は、複数のコンテンツのうちの第１のコンテンツに対応した第１の映像（第１のＷｅｂページ）の表示を制御する。この表示制御（第１の表示形式による表示制御）に対応して、映像表示部１４１は、図２に示す表示画面Ｓ１１を表示する。つまり、映像表示部１４１は、第１の映像を表示する。さらに、リモートコントローラ１１６等のカーソルキー操作に応じて、第１の映像中の各項目を選択することができる（図２に示す表示画面Ｓ１２）。
【００３８】
同様に、リモートコントローラ１１６等のカラーキー操作（青色キー操作）及びカーソル操作に応じて、画面上のタブＴ２が選択されると、コントローラ１１０、ＯＳＤ信号生成モジュール１１１、グラフィック処理モジュール１１２、及び映像処理モジュール１１３は、複数のコンテンツのうちの第２のコンテンツに対応した第２の映像（第２のＷｅｂページ）の表示を制御する。この表示制御（第２の表示形式による表示制御）に対応して、映像表示部１４１は、図２に示す表示画面Ｓ１３を表示する。つまり、映像表示部１４１は、第２の映像を表示する。さらに、リモートコントローラ１１６等のカーソルキー操作に応じて、第２の映像中の各項目を選択することができる（図２に示す表示画面Ｓ１４）。
【００３９】
同様に、タブＴ３が選択されると、複数のコンテンツのうちの第３のコンテンツに対応した第３の映像が表示され、タブＴ４が選択されると、複数のコンテンツのうちの第４のコンテンツに対応した第４の映像が表示される。
【００４０】
さらに、図２に示す表示画面Ｓ１１又は図２に示す表示画面Ｓ１３が表示された状態で、リモートコントローラ１１６等の１回のカラーキー操作（青色キー操作）に応じて、コントローラ１１０、ＯＳＤ信号生成モジュール１１１、グラフィック処理モジュール１１２、及び映像処理モジュール１１３は、図２の表示画面Ｓ１１（第１の表示形式）又は図２の表示画面Ｓ１３（第２の表示形式）を図２の表示画面Ｓ１５（第３の表示形式）へ更新する。
【００４１】
或いは、図２に示す表示画面Ｓ１２又は図２に示す表示画面Ｓ１４が表示された状態で、リモートコントローラ１１６等の２回のカラーキー操作（青色キー操作）に応じて、コントローラ１１０、ＯＳＤ信号生成モジュール１１１、グラフィック処理モジュール１１２、及び映像処理モジュール１１３は、図２の表示画面Ｓ１２（第１の表示形式）又は図２の表示画面Ｓ１４（第２の表示形式）を図２の表示画面Ｓ１５（第３の表示形式）へ更新する。
【００４２】
なお、図２の表示画面Ｓ１１及び図２の表示画面Ｓ１３は、タブＴ１〜Ｔ４の選択操作が可能な状態である。図２の表示画面Ｓ１２は、タブＴ１で指定されたページＰ１上の項目選択操作が可能な状態であり、図２の表示画面Ｓ１４は、タブＴ２で指定されたページＰ２上の項目選択操作が可能な状態である。
【００４３】
図２の表示画面Ｓ１５は、複数のコンテンツに対応した複数の映像を一覧表示した表示画面の一例を示す図である。図３の表示画面Ｓ２１は、図２の表示画面Ｓ１５をさらに詳しく示した図である。本実施形態のデジタルテレビジョン放送受信装置は、図３に示す表示画面Ｓ２１中の複数の映像の中の一つの映像の選択に応じて、複数のコンテンツに対応した複数の映像（複数のＷｅｂページ）のうちの、選択した映像を更新することができる。また、本実施形態のデジタルテレビジョン放送受信装置は、図３に示す表示画面Ｓ２１中の全更新キーＫ１の指定に応じて、複数のコンテンツに対応した複数の映像（複数のＷｅｂページ）を順に更新することができる。
【００４４】
最初に、選択映像の更新について説明する。図４は、選択映像の更新処理の一例を示すフローチャートである。
【００４５】
図３に示す表示画面Ｓ２１が表示された状態で、リモートコントローラ１１６等のカーソル操作に応じて、第１のコンテンツに対応した第１の映像Ｖ１（第１のＷｅｂページ）が選択され、さらにリモートコントローラ１１６等の決定キー操作に応じて、コントローラ１１０、ＬＡＮ端子１２２、及び通信インターフェース１２３は、第１のコンテンツに対応した第１のアドレスに基づき、第１のコンテンツの再取得を開始する（ＳＴ１）。このとき、コントローラ１１０、ＯＳＤ信号生成モジュール１１１、グラフィック処理モジュール１１２、及び映像処理モジュール１１３は、図３に示す表示画面Ｓ２１を、図３に示す表示画面Ｓ２２へ更新する。さらに、第１のコンテンツの再取得が完了すると、不揮発性メモリ１１０３は、第１のコンテンツを保存し（ＳＴ２）、コントローラ１１０、ＯＳＤ信号生成モジュール１１１、グラフィック処理モジュール１１２、及び映像処理モジュール１１３は、図３に示す表示画面Ｓ２２を、図３に表示画面Ｓ２３へ更新する（ＳＴ３）。図３に示す表示画面Ｓ２２は、一覧表示の中の選択映像が更新中であることを示す表示画面の一例を示す図である。なお、上記再取得により得られたコンテンツを第１の再取得コンテンツと定義する。
【００４６】
つまり、一覧表示上の第１の映像Ｖ１（図３に示す表示画面Ｓ２１参照）は、第１の再取得コンテンツに対応した第１の再取得映像Ｖ１’（図３に示す表示画面Ｓ２２参照）へ更新される。これにより、デジタルテレビジョン放送受信装置は、一覧表示を維持したまま、第１の映像Ｖ１を最新映像（第１の再取得映像Ｖ１’）へ更新することができる。ユーザは、一覧表示を見つつ、選択した映像については、最新の映像を見ることができる。
【００４７】
なお、上記したように、デジタルテレビジョン放送受信装置は、映像の選択操作に対応して、選択映像を更新するが、さらに、一定時間毎に、各映像を自動更新することもできる。この場合、映像の選択操作は不要となり、利便性が向上する。
【００４８】
次に、全映像の更新について説明する。
【００４９】
図３に示す表示画面Ｓ２１が表示された状態で、リモートコントローラ１１６等のカラーキー操作（緑色キー操作）に応じて、全更新キーＫ１が指定されると、コントローラ１１０、ＬＡＮ端子１２２、及び通信インターフェース１２３は、一覧表示された複数のコンテンツに対応した複数のアドレスに基づき、複数のコンテンツの再取得を順に開始する。
【００５０】
例えば、コントローラ１１０、ＬＡＮ端子１２２、及び通信インターフェース１２３は、複数のコンテンツに含まれた第１のコンテンツに対応した第１のアドレスに基づき、第１のコンテンツの再取得を開始する。このとき、コントローラ１１０、ＯＳＤ信号生成モジュール１１１、グラフィック処理モジュール１１２、及び映像処理モジュール１１３は、図３に示す表示画面Ｓ２１を、図３に示す表示画面Ｓ２２へ更新し、さらに、第１のコンテンツの再取得が完了すると、図３に示す表示画面Ｓ２２を、図３に示す表示画面Ｓ２３へ更新する。つまり、一覧表示上の第１の映像Ｖ１（図３に示す表示画面Ｓ２１参照）は、第１の再取得コンテンツに対応した第１の再取得映像Ｖ１’（図３に示す表示画面Ｓ２２参照）へ更新される。
【００５１】
続いて、コントローラ１１０、ＬＡＮ端子１２２、及び通信インターフェース１２３は、複数のコンテンツに含まれた第２のコンテンツに対応した第２のアドレスに基づき、第２のコンテンツの再取得を開始する。第２のコンテンツの再取得が完了すると、コントローラ１１０、ＯＳＤ信号生成モジュール１１１、グラフィック処理モジュール１１２、及び映像処理モジュール１１３は、一覧表示上の第２の映像Ｖ２（図３に示す表示画面Ｓ２１参照）を、第１の再取得コンテンツに対応した第２の再取得映像へ更新する。
【００５２】
同様に、コントローラ１１０、ＬＡＮ端子１２２、及び通信インターフェース１２３は、複数のコンテンツに含まれた第３のコンテンツに対応した第３のアドレスに基づき、第３のコンテンツの再取得を開始する。第３のコンテンツの再取得が完了すると、コントローラ１１０、ＯＳＤ信号生成モジュール１１１、グラフィック処理モジュール１１２、及び映像処理モジュール１１３は、一覧表示上の第３の映像Ｖ３（図３に示す表示画面Ｓ２１参照）を、第３の再取得コンテンツに対応した第３の再取得映像へ更新する。
【００５３】
一覧表示上の全ての映像（第１の映像Ｖ１〜第６の映像Ｖ６）が更新されるまで、コントローラ１１０、ＯＳＤ信号生成モジュール１１１、グラフィック処理モジュール１１２、及び映像処理モジュール１１３は、上記更新処理を繰り返す。これにより、デジタルテレビジョン放送受信装置は、一覧表示を維持したまま、一覧表示中の全映像を最新映像へ更新することができる。
【００５４】
次に、上記した更新処理をお気に入り機能へ適用するケースについて説明する。お気に入り機能は、登録された１又は複数のアドレス（ＵＲＬ情報）に基づき、１又は複数のコンテンツを取得し表示する機能である。例えば、不揮発性メモリ１１０３が、登録された１又は複数のアドレスを記憶し、リモートコントローラ１１６等のキー操作に応じて、お気に入り機能の実行が指定されると、コントローラ１１０は、登録された複数のアドレスに基づき複数コンテンツを順に受信し、複数コンテンツに対応した複数映像の一覧表示を制御する。つまり、図３に示す表示画面Ｓ２１に示すように、複数映像が一覧表示される。この後、コントローラ１１０、ＯＳＤ信号生成モジュール１１１、グラフィック処理モジュール１１２、映像処理モジュール１１３、及びＬＡＮ端子１２２、及び通信インターフェース１２３が、上記説明した、選択映像の更新処理、又は全映像の更新処理を実行する。
【００５５】
近年、デジタルテレビジョン放送受信装置は、外部ネットワークと接続し、Ｗｅｂブラウザコンテンツを視聴可能にするためのブラウザ機能を搭載している。ブラウザは、複数のタブなどを用いて、複数のＷｅｂブラウザコンテンツを同時に管理し、複数のＷｅｂブラウザコンテンツに対応した複数の映像（ページ）を選択的に表示することができる。例えば、１つのＷｅｂブラウザコンテンツに対応したページが選択されると、このＷｅｂブラウザコンテンツが再取得され、このＷｅｂブラウザコンテンツに対応したページの内容が更新される。
【００５６】
ところが、長期にわたり、選択されなかったページに対応したＷｅｂブラウザコンテンツは、再取得されない。つまり、選択されなかったページは、更新されない。このために、複数のＷｅｂブラウザコンテンツに対応した複数の映像（ページ）が一覧表示された場合に、各映像は最新の映像とは限らない。例えば、複数のＷｅｂブラウザコンテンツの一覧表示の状態から、Ｗｅｂブラウザコンテンツの単独表示の状態へ移行した後で、表示されているＷｅｂブラウザコンテンツを更新することが考えられる。しかしながら、このような複数ステップによる更新は非効率である。
【００５７】
本実施形態のデジタルテレビジョン放送受信装置は、複数のＷｅｂブラウザコンテンツを一覧表示した状態で、選択したコンテンツ、又は全コンテンツを更新することができる。これにより、ユーザは、一覧表示を見つつ、選択したコンテンツ、又は全コンテンツの最新情報を見ることができる。
【００５８】
なお、上記したモジュールとは、ハードウェアで実現するものであっても良いし、ＣＰＵ等を使ってソフトウェアで実現するものであってもよい。
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６０】
１…放送受信装置、２…映像音声出力装置、３…デジタルテレビジョン放送受信システム３、１０１…アンテナ、１０２…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ
【図１】
2011066537.tif 000003
【図２】
2011066537.tif 000004
【図３】
2011066537.tif 000005
【図４】
2011066537.tif 000006
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
外部サーバとの通信により、第１のアドレスに基づき第１のコンテンツを受信し、また第２のアドレスに基づき第２のコンテンツを受信する通信手段と、
前記第１のコンテンツ及び前記第２のコンテンツを記憶する記憶手段と、
前記第１のコンテンツに対応した第１の映像と前記第２のコンテンツに対応した第２の映像との一覧表示を制御する制御手段と、
前記一覧表示されている複数の映像を更新するにあたり、前記第１のアドレスに基づき前記第１のコンテンツを再取得し、前記一覧表示上の前記第１の映像を、前記再取得された前記第１のコンテンツに対応した前記第１の再取得映像へ更新し、この更新完了後に、前記第２のアドレスに基づき前記第２のコンテンツを再取得し、前記一覧表示上の前記第２の映像を、前記再取得された前記第２のコンテンツに対応した第２の再取得映像へ更新する更新手段と、
を備え、
前記制御手段は、前記第１の映像の更新中は更新中を示す情報を前記第１の映像上に表示するように制御する映像受信装置。
【請求項２】
前記一覧表示上の一つの映像を選択する選択手段を備え、
前記更新手段は、前記選択手段により選択された前記第１の映像に対応した前記第１のアドレスに基づき前記第１のコンテンツを再取得し、前記一覧表示上の前記第１の映像を、前記再取得された前記第１のコンテンツに対応した前記第１の再取得映像へ更新する、
ことを特徴とする請求項１に記載の映像受信装置。
【請求項３】
前記制御手段は、前記第１のコンテンツに対応した第１の映像を表示する第１の表示形式、前記第２のコンテンツに対応した第２の映像を表示する第２の表示形式、又は前記第１映像と前記第２の映像とを一覧表示する第３の表示形式による表示を制御することを特徴とする請求項１に記載の映像受信装置。
【請求項４】
前記第１のアドレス及び前記第２のアドレスを登録する登録手段を備えることを特徴とする請求項１に記載の映像受信装置。
【請求項５】
受信した放送信号から、指定チャンネルの信号を選局する選局手段を備え、
前記制御手段は、前記選局信号に基づく映像表示及び前記一覧表示を制御する、
ことを特徴とする請求項１に記載の映像受信装置。
【請求項６】
外部サーバとの通信により、第１のアドレスに基づき第１のコンテンツを受信し、また第２のアドレスに基づき第２のコンテンツを受信し、
前記第１のコンテンツ及び前記第２のコンテンツを記憶し、
前記第１のコンテンツに対応した第１の映像と前記第２のコンテンツに対応した第２の映像との一覧表示を制御し、
前記一覧表示されている複数の映像を更新するにあたり、前記第１のアドレスに基づき前記第１のコンテンツを再取得し、前記一覧表示上の前記第１の映像を、前記再取得された第１のコンテンツに対応した第１の再取得映像へ更新し、前記第１の映像の更新中は更新中を示す情報を前記第１の映像上に表示するように制御し、前記更新完了後に、前記第２のアドレスに基づき前記第２のコンテンツを再取得し、前記一覧表示上の前記第２の映像を、前記再取得された前記第２のコンテンツに対応した第２の再取得映像へ更新する、
映像受信方法。
【手続補正２】
【補正対象書類名】明細書
【補正対象項目名】００５９
【補正方法】変更
【補正の内容】
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本出願の出願当初の特許請求の範囲に記載された発明を付記する。
［１］
外部サーバとの通信により、第１のアドレスに基づき第１のコンテンツを受信し、また第２のアドレスに基づき第２のコンテンツを受信する通信手段と、
前記第１のコンテンツ及び前記第２のコンテンツを記憶する記憶手段と、
前記第１のコンテンツに対応した第１の映像と前記第２のコンテンツに対応した第２の映像との一覧表示を制御する制御手段と、
前記第１のアドレスに基づき前記第１のコンテンツを再取得し、前記一覧表示上の前記第１の映像を、前記再取得された前記第１のコンテンツに対応した第１の再取得映像へ更新する更新手段と、
を備えた映像受信装置。
［２］
前記一覧表示上の一つの映像を選択する選択手段を備え、
前記更新手段は、前記選択手段により選択された前記第１の映像に対応した前記第１のアドレスに基づき前記第１のコンテンツを再取得し、前記一覧表示上の前記第１の映像を、前記再取得された前記第１のコンテンツに対応した前記第１の再取得映像へ更新する、
ことを特徴とする［１］に記載の映像受信装置。
［３］
前記更新手段は、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新することを特徴とする［１］に記載の映像受信装置。
［４］
全映像更新を指定する指定手段と、
前記一覧表示から一つの映像を選択する選択手段と、
を備え、
前記更新手段は、
前記選択手段により選択された前記第１の映像に対応した前記第１のアドレスに基づき前記第１のコンテンツを再取得し、前記一覧表示上の前記第１の映像を、前記再取得された前記第１のコンテンツに対応した前記第１の再取得映像へ更新し、
また、前記全映像更新の指定に対応して、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新する、
ことを特徴とする［１］に記載の映像受信装置。
［５］
前記制御手段は、前記第１のコンテンツに対応した第１の映像を表示する第１の表示形式、前記第２のコンテンツに対応した第２の映像を表示する第２の表示形式、又は前記第１映像と前記第２の映像とを一覧表示する第３の表示形式による表示を制御し、
前記更新手段は、前記第３の表示形式による前記一覧表示に対応して、前記第１のアドレスに基づき前記第１のコンテンツを再取得し、前記一覧表示上の前記第１の映像を、前記再取得された前記第１のコンテンツに対応した第１の再取得映像へ更新する、
ことを特徴とする［１］に記載の映像受信装置。
［６］
前記更新手段は、前記第３の表示形式による前記一覧表示に対応して、前記第１のアドレスと前記第２のアドレスとを順に選択し、前記第１のアドレスに基づき前記第１のコンテンツを再取得し、前記一覧表示上の前記第１の映像を、前記再取得された前記第１のコンテンツに対応した前記第１の再取得映像へ更新し、前記第２のアドレスに基づき前記第２のコンテンツを再取得し、前記一覧表示上の前記第２の映像を、前記再取得された前記第２のコンテンツに対応した第２の再取得映像へ更新することを特徴とする［５］に記載の映像受信装置。
［７］
前記第１のアドレス及び前記第２のアドレスを登録する登録手段を備え、
前記通信手段は、前記登録手段により登録された前記第１のアドレスに基づき前記第１のコンテンツを受信し、前記登録手段により登録された前記第２のアドレスに基づき前記第２のコンテンツを受信し、
前記制御手段は、前記第１のコンテンツに対応した前記第１の映像と前記第２のコンテンツに対応した前記第２の映像との一覧表示を制御する、
ことを特徴とする［１］に記載の映像受信装置。
［８］
受信した放送信号から、指定チャンネルの信号を選局する選局手段を備え、
前記制御手段は、前記選局信号に基づく映像表示及び前記一覧表示を制御する、
ことを特徴とする［１］に記載の映像受信装置。
［９］
外部サーバとの通信により、第１のアドレスに基づき第１のコンテンツを受信し、また第２のアドレスに基づき第２のコンテンツを受信し、
前記第１のコンテンツ及び前記第２のコンテンツを記憶し、
前記第１のコンテンツに対応した第１の映像と前記第２のコンテンツに対応した第２の映像との一覧表示を制御し、
前記第１のアドレスに基づき前記第１のコンテンツを再取得し、前記一覧表示上の前記第１の映像を、前記再取得された第１のコンテンツに対応した第１の再取得映像へ更新する、
映像受信方法。